(57)【要約】【課題】ユーザが電気使用パターンの設定を意図せずに変更することを好適に防止することが可能な電気給湯機の操作端末を提供する【解決手段】台所リモコン３０は、電気を用いて生成された熱によって水を加熱してお湯を生成する電気給湯機１の操作端末であって、ユーザによる入力を受ける入力部３１と、ユーザへの出力を行う出力部３２と、入力部３１への入力結果を取得し、取得された入力結果に基づいて出力部３２を制御する制御部３３と、を備え、入力部３１は、お湯の加熱運転を行う際の電気使用パターンに関する設定を変更するモードと、給湯運転に関する設定を変更するモードと、が選択可能に構成されており、制御部３３は、電気使用パターンに関する設定を変更するモードが選択された場合に、出力部３２を制御することによって、電気料金に影響を与えるおそれがある旨の報知を行うことを特徴とする。【選択図】図１
2011043301.tif 000002
【特許請求の範囲】
【請求項１】
電気を用いて生成された熱によって水を加熱してお湯を生成する電気給湯機の操作端末であって、
ユーザによる入力を受ける入力部と、
ユーザへの出力を行う出力部と、
前記入力部への入力結果を取得し、取得された入力結果に基づいて前記出力部を制御する制御部と、
を備え、
前記入力部は、お湯の加熱運転を行う際の電気使用パターンに関する設定を変更するモードと、給湯運転に関する設定を変更するモードと、が選択可能に構成されており、
前記制御部は、前記電気使用パターンに関する設定を変更するモードが選択された場合に、前記出力部を制御することによって、電気料金に影響を与えるおそれがある旨の報知を行う
ことを特徴とする電気給湯機の操作端末。
【請求項２】
前記制御部は、電気料金に影響を与えるおそれがある旨の報知に先立って、前記出力部を制御することによって、前段階報知を行い、当該前段階報知に応じた前記入力部への入力結果を取得した場合にのみ、電気料金に影響を与えるおそれがある旨の報知を行う
ことを特徴とする請求項１に記載の電気給湯機の操作端末。
【請求項３】
電気を用いて生成された熱によって水を加熱してお湯を生成する電気給湯機であって、
ユーザによる入力を受ける入力部と、
ユーザへの出力を行う出力部と、
前記入力部への入力結果を取得し、取得された入力結果に基づいて前記出力部を制御する制御部と、
を備え、
前記入力部は、お湯の加熱運転を行う際の電気使用パターンに関する設定を変更するモードと、給湯運転に関する設定を変更するモードと、が選択可能に構成されており、
前記制御部は、前記電気使用パターンに関する設定を変更するモードが選択された場合に、前記出力部を制御することによって、電気料金に影響を与えるおそれがある旨の報知を行う
ことを特徴とする電気給湯機。
【発明の詳細な説明】
【技術分野】
【０００１】
本発明は、電気給湯機及びその操作端末に関する。
【背景技術】
【０００２】
電力契約の料金メニューには、オール電化住宅、電気温水器が設置されている住宅等に向けて、電気料金を昼間は高く深夜は安く設定したメニューがある。電気給湯機が設置されている住宅においては、通常はこのような料金メニューで電力契約がなされている。電気給湯機は、電気料金が安い深夜に当該電気給湯機を駆動させることによってお湯を沸き上げて貯湯タンクに貯めておき、ユーザ（住宅の居住者）は、深夜に沸き上げられたお湯を昼間に給湯等に使用する。
【０００３】
しかし、一日のお湯の使用量が多い場合には、深夜に沸き上げられたお湯だけでは足りなくなり、湯切れが生じる場合がある。そのため、電気給湯機は、貯湯タンク内のお湯が給湯されて減ることによって湯切れが生じないように沸き増しを行う、いわゆる『湯切れ防止設定』という機能、並びに、湯切れ防止のために沸き増す際の条件、及び、貯湯タンク内のお湯の温度が低下した際にお湯を沸き上げる際の条件に関する『沸き上げ設定』という機能を有している。
【０００４】
『湯切れ防止設定』は、沸き増し運転を開始する条件（貯湯タンク内の貯湯量等）、沸き増しを行うお湯の量、沸き増し後の貯湯タンク内のお湯の温度の目標値等を設定する機能であり、『湯切れ防止設定』がなされると、電気給湯機は、貯湯タンク内の貯湯量が低下した場合に沸き増し運転を行い、貯湯タンク内にお湯を貯め、湯切れを防止する。また、『沸き上げ設定』は、沸き上げ運転を開始する貯湯タンク内の温度、沸き上げ運転を終了する貯湯タンク内のお湯の温度の目標値、沸き上げるお湯の量等を設定する機能であり、『湯切れ防止設定』がなされた場合において、電気給湯機は、『沸き上げ設定』における沸き上げ運転を終了する貯湯タンク内のお湯の温度の目標値に基づいて、沸き増し運転を行う。
【発明の概要】
【発明が解決しようとする課題】
【０００５】
ここで、『湯切れ防止設定』及び『沸き上げ設定』は、電気の使用パターンに関する機能であり、設定変更によって電気料金に影響を与えるおそれがある機能である。これらの機能を有する電気給湯機において、ユーザが、これらの設定内容を意図せず変更してしまうことがあり、ユーザにとって好ましくない電気の使用パターンで運転が行われることがある。この場合には、電気料金が想定外に高くなるという不都合をユーザが被るおそれがある。
【０００６】
本発明は、前記した問題を解決すべく創案されたものであり、ユーザが電気使用パターンの設定を意図せずに変更することを好適に防止することが可能な電気給湯機及びその操作端末を提供することを課題とする。
【課題を解決するための手段】
【０００７】
前記課題を解決するため、本発明は、電気を用いて生成された熱によって水を加熱してお湯を生成する電気給湯機及びその操作端末であって、ユーザによる入力を受ける入力部と、ユーザへの出力を行う出力部と、前記入力部への入力結果を取得し、取得された入力結果に基づいて前記出力部を制御する制御部と、を備え、前記入力部は、お湯の加熱運転を行う際の電気使用パターンに関する設定を変更するモードと、給湯運転に関する設定を変更するモードと、が入力可能に構成されており、前記制御部は、前記電気使用パターンに関する設定を変更するモードが選択された場合に、前記出力部を制御することによって、電気料金に影響を与えるおそれがある旨の報知を行うことを特徴とする。
【０００８】
かかる構成によると、ユーザは、電気料金に影響を与えるおそれがある旨を知ることができるので、ユーザが電気使用パターンの設定を意図せずに変更することを好適に防止することができる。
【０００９】
また、前記制御部は、電気料金に影響を与えるおそれがある旨の報知に先立って、前記出力部を制御することによって、前段階報知を行い、当該前段階報知に応じた前記入力部への入力結果を取得した場合にのみ、電気料金に影響を与えるおそれがある旨の報知を行う構成であってもよい。
【００１０】
かかる構成によると、電気料金に影響を与えるおそれがある旨の報知のことを熟知しているユーザは、前段階報知を無視して操作端末の操作を続けることができ、この場合には、電気料金に影響を与えるおそれがある旨の報知は省略される。
【発明の効果】
【００１１】
本発明によれば、ユーザが電気使用パターンの設定を意図せずに変更することを好適に防止することができる。
【図面の簡単な説明】
【００１２】
【図１】本発明の実施形態に係る電気給湯機を模式的に示すブロック図である。
【図２】本発明の実施形態に係る台所リモコンの外観を示す図である。
【図３】本発明の実施形態に係るふろリモコンの外観を示す図である。
【図４】本発明の実施形態に係る電気給湯機の台所リモコンの動作例を説明する図である。
【発明を実施するための形態】
【００１３】
以下、本発明の実施形態について、適宜図面を参照しながら説明する。同様の部分には同一符号を付し、重複する説明を省略する。
【００１４】
＜電気給湯機の構成＞
まず、本発明の実施形態に係る電気給湯機の構成について、図１〜図３を参照して説明する。図１は、本発明の実施形態に係る電気給湯機を模式的に示すブロック図である。図２は、本発明の実施形態に係る台所リモコンの外観を示す図である。図３は、本発明の実施形態に係るふろリモコンの外観を示す図である。
【００１５】
図１に示すように、本発明の実施形態に係る電気給湯機１は、住宅の台所の給湯端末（給湯蛇口）、並びに、浴室の浴槽端末（浴槽と加熱給湯部１０との接続部位であって、浴槽及び加熱給湯部１０間のお湯の循環を可能とする部位）及び給湯端末（給湯蛇口）にお湯を供給するためのものであり、加熱給湯部１０と、主コントローラ２０と、台所リモコン３０と、ふろリモコン４０と、を備える。
【００１６】
≪加熱給湯部１０≫
加熱給湯部１０は、給水源から供給された清水を貯蔵するための貯湯タンク、貯湯タンクに貯蔵された清水を加熱してお湯を生成するヒートポンプユニット、及び、これら貯湯タンク及びヒートポンプユニットと前記した給湯端末等とを接続し、清水又はお湯が流通可能な回路を備えるとともに、回路上に設けられたポンプ、電磁弁、混合弁、各種センサ（例えば、貯湯タンク内の水温を検出する温度センサ、貯湯タンク内のお湯の水位を検出するセンサ、浴槽に給湯されたお湯の水位を検出する水位センサ）等を備える。ヒートポンプユニットは、電気を間接的に用いて熱を生成する熱源であり、貯湯タンクに貯蔵された清水は、ヒートポンプユニットによって生成された熱と熱交換を行うことによって加熱されてお湯となる。なお、熱源は、前記したヒートポンプに限定されず、電気を用いて熱を生成するヒータが貯湯タンク内に配置される構成であってもよい。
【００１７】
≪主コントローラ２０≫
主コントローラ２０は、後記する台所リモコン３０及びふろリモコン４０と通信可能に接続されており、各リモコン３０、４０から出力された設定と、加熱給湯部１０に設けられた各種センサの検出結果と、に基づいて、加熱給湯部１０のヒートポンプユニット、ポンプ、電磁弁及び混合弁の駆動を制御する。
【００１８】
≪台所リモコン３０≫
台所リモコン３０は、住宅の台所に設けられた操作端末であり、ボタン、マイク等から構成された、ユーザによる入力を受ける入力部３１と、モニタ、発光体、スピーカ等から構成された、ユーザへの出力を行う出力部３２と、入力部３１の操作による入力結果を取得し、取得された入力結果を主コントローラ２０へ出力したり、取得された入力結果に基づいて出力部３２を制御したりする制御部３３と、を備える。
【００１９】
図２に示すように、台所リモコン３０は、入力部３１として、おしえてボタン３１ａ、通話ボタン３１ｂ、マイク３１ｃ、給湯温度上ボタン３１ｄ、給湯温度下ボタン３１ｅ、ふろ自動ボタン３１ｆ、追いだきボタン３１ｇ、タンク沸き増しボタン３１ｈ、ふろ予約ボタン３１ｉ、高速湯はりボタン３１ｊ、ふろ温度ボタン３１ｋ、水位ボタン３１ｌ、上ボタン３１ｍ、左ボタン３１ｎ、右ボタン３１ｏ、下ボタン３１ｐ、メニューボタン３１ｑ、決定ボタン３１ｒ、時間設定ボタン３１ｓ、及び、戻るボタン３１ｔを備える。
【００２０】
おしえてボタン３１ａが押下されると、制御部３３は、後記するモニタ３２ａ又はスピーカを用いて、ユーザに対して必要な情報を提供する。
通話ボタン３１ｂが押下されると、マイク３１ｃ及びふろリモコン４０のスピーカ４２ｃがＯＮされ、ふろリモコン４０のスピーカ４２ｃを介した発話が可能となる。なお、ふろリモコン４０の通話ボタン４１ｂが押下されると、マイク４１ｃ及び台所リモコン３０のスピーカがＯＮされ、台所リモコン３０のスピーカを介した発話が可能となる。例えば、ユーザがふろリモコン４０から話す場合には、ユーザは、通話ボタン４１ｂを押下し続けた状態で話し、一定時間（例えば、３０秒）が経過すると、マイク４１ｃ及びふろリモコン３０のスピーカが自動的にＯＦＦされる。
給湯温度上ボタン３１ｄが押下されると、制御部３３は、給湯温度の設定を上げ、その旨を主コントローラ２０へ伝送し、主コントローラ２０は、変更された給湯温度のお湯が給湯端末から給湯されるように、加熱給湯部１０を制御する。
給湯温度下ボタン３１ｅが押下されると、制御部３３は、給湯温度の設定を下げ、その旨を主コントローラ２０へ伝送し、主コントローラ２０は、変更された給湯温度のお湯が給湯端末から給湯されるように、加熱給湯部１０を制御する。
ふろ自動ボタン３１ｆが押下されると、制御部３３は、浴槽への湯はりを開始する旨を主コントローラ２０へ伝送し、主コントローラ２０は、浴槽への湯はりを開始し、湯はり完了後において、自動的にたし湯や追いだきを行うように、加熱給湯部１０を制御する。
追いだきボタン３１ｇが押下されると、制御部３３は、追いだきを開始する旨を主コントローラ２０へ伝送し、主コントローラ２０は、浴槽の追いだきを開始する。追いだきボタン３１ｇが再度押下されると、制御部３３は、追いだきを終了する旨を主コントローラ２０へ伝送し、主コントローラ２０は、浴槽の追いだきを終了する。
タンク沸き増しボタン３１ｈが押下されると、制御部３３は、加熱給湯部１０の貯湯タンクのお湯の沸き上げを開始する。
ふろ予約ボタン３１ｉ、上ボタン３１ｍ、左ボタン３１ｎ、右ボタン３１ｏ、下ボタン３１ｐ及び決定ボタン３１ｒが操作されると、制御部３３は、設定されたふろの予約時間を主コントローラ２０へ伝送し、主コントローラ２０は、設定されたふろの予約時間に基づいて、浴槽への湯はりを行う。
高速湯はりボタン３１ｊが押下されると、制御部３３は、高速湯はりが設定された旨を主コントローラ２０へ伝送し、主コントローラ２０は、浴槽への湯はりを高速で行う。
ふろ温度ボタン３１ｋ、上ボタン３１ｍ及び下ボタン３１ｐが操作されると、制御部３３は、設定されたふろ温度を主コントローラ２０へ伝送し、主コントローラ２０は、設定されたふろ温度に基づいて、浴槽に湯はりを行う。
水位ボタン３１ｌ、上ボタン３１ｍ及び下ボタン３１ｐが操作されると、制御部３３は、設定された水位を主コントローラ２０へ伝送し、主コントローラ２０は、設定された水位に基づいて、浴槽に湯はりを行う。
メニューボタン３１ｑが押下されると、制御部３３は、『メニュー画面』をモニタ３２ａに表示させる。
決定ボタン３１ｒが押下されると、制御部３３は、下位の画面をモニタ３２ａに表示させる。
時間設定ボタン３１ｓ、上ボタン３１ｍ、左ボタン３１ｎ、右ボタン３３１ｏ及び下ボタン３１ｐが操作されると、制御部３３は、設定された時間を主コントローラ２０へ伝送する。
戻るボタン３１ｔが押下されると、制御部３３は、上位の画面をモニタ３２ａに表示させる。
【００２１】
図２に示すように、台所リモコン３０は、出力部３２として、モニタ３２ａ、ＬＥＤ等からなる発光体３２ｂ、及び、スピーカ（図示せず）を備える。
【００２２】
≪ふろリモコン４０≫
ふろリモコン４０は、住宅のふろに設けられた操作端末であり、図１に示すように、ボタン、マイク等から構成された、ユーザによる入力を受ける入力部４１と、モニタ、発光体、スピーカ等から構成された、ユーザへの出力を行う出力部４２と、入力部４１の操作による入力結果を取得し、取得された入力結果を主コントローラ２０へ出力したり、取得された入力結果に基づいて出力部４２を制御したりする制御部４３と、を備える。
【００２３】
図３に示すように、ふろリモコン４０は、入力部４１として、おしえてボタン４１ａ、通話ボタン４１ｂ、マイク４１ｃ、給湯温度上ボタン４１ｄ、給湯温度下ボタン４１ｅ、ふろ自動ボタン４１ｆ、追いだきボタン４１ｇ、タンク沸き増しボタン４１ｈ、高速湯はりボタン４１ｊ、ふろ温度ボタン４１ｋ、水位ボタン４１ｌ、上ボタン４１ｍ、左ボタン４１ｎ、右ボタン４１ｏ、下ボタン４１ｐ、メニューボタン４１ｑ、決定ボタン４１ｒ、戻るボタン４１ｔ、リモコン切／入ボタン４１ｕ、浴室優先ボタン４１ｖ、たし湯ボタン４１ｗ、さし湯ボタン４１ｘ、高温さし湯ボタン４１ｙ、及び、自動洗浄ボタン４１ｚを備える。
【００２４】
おしえてボタン４１ａ、通話ボタン４１ｂ、マイク４１ｃ、給湯温度上ボタン４１ｄ、給湯温度下ボタン４１ｅ、ふろ自動ボタン４１ｆ、追いだきボタン４１ｇ、タンク沸き増しボタン４１ｈ、高速湯はりボタン４１ｊ、ふろ温度ボタン４１ｋ、水位ボタン４１ｌ、上ボタン４１ｍ、左ボタン４１ｎ、右ボタン４１ｏ、下ボタン４１ｐ、メニューボタン４１ｑ、決定ボタン４１ｒ、及び、戻るボタン４１ｔは、それぞれ、前記した台所リモコン３０のおしえてボタン３１ａ、通話ボタン３１ｂ、マイク３１ｃ、給湯温度上ボタン３１ｄ、給湯温度下ボタン３１ｅ、ふろ自動ボタン３１ｆ、追いだきボタン３１ｇ、タンク沸き増しボタン３１ｈ、高速湯はりボタン３１ｊ、ふろ温度ボタン３１ｋ、水位ボタン３１ｌ、上ボタン３１ｍ、左ボタン３１ｎ、右ボタン３１ｏ、下ボタン３１ｐ、メニューボタン３１ｑ、決定ボタン３１ｒ、戻るボタン３１ｔと同等の機能を有する。
リモコン切／入ボタン４１ｕが押下されると、ふろリモコン４０がＯＮ・ＯＦＦされる。
浴室優先ボタン４１ｖが押下されると、制御部４３は、浴室優先が設定された旨を主コントローラ２０へ伝送し、主コントローラ２０は、台所リモコン３０での給湯温度及びふろ温度の変更を禁止する。
たし湯ボタン４１ｗが押下されると、制御部４３は、たし湯が設定された旨を主コントローラ２０へ伝送し、主コントローラ２０は、浴槽端末を介してたし湯を行うように、加熱給湯部１０を制御する。
さし湯ボタン４１ｘが押下されると、制御部４３は、さし湯が設定された旨を主コントローラ２０へ伝送し、主コントローラ２０は、浴槽端末を介してさし湯を行うように、加熱給湯部１０を制御する。
高温さし湯ボタン４１ｙが押下されると、制御部４３は、高温さし湯が設定された旨を主コントローラ２０へ伝送し、主コントローラ２０は、浴槽端末を介して高温さし湯を行うに、加熱給湯部１０を制御する。
自動洗浄ボタン４１ｚが押下されると、自動洗浄が設定された旨を主コントローラ２０へ伝送し、主コントローラ２０は、浴槽端末を介して浴槽の自動洗浄を行うように、加熱給湯部１０を制御する。
【００２５】
図３に示すように、ふろリモコン４０は、出力部４２として、モニタ４２ａ、ＬＥＤ等からなる発光体４２ｂ、及び、スピーカ４２ｃを備える。
【００２６】
≪動作例≫
続いて、本発明の実施形態に係る電気給湯機１の動作例について、図４を参照して説明する（適宜図１，２参照）。図４は、本発明の実施形態に係る電気給湯機の台所リモコンの動作例を説明する図であり、モニタに表示された画面の遷移を示す図である。以下、ユーザが台所リモコン３０を操作する場合を例にとって説明するが、ユーザがふろリモコン４０を操作する場合も同様である。
【００２７】
まず、図４（ａ）に示す『基本画面』がモニタ３２ａに表示された状態において、ユーザがメニューボタン３１ｑを押下すると、制御部３３は、図４（ｂ）に示す『メニュー画面』をモニタ３２ａに表示させる。
【００２８】
かかる状態において、ユーザが上ボタン３１ｍ及び下ボタン３１ｐを操作することによって『タンク』にカーソルを合わせると、制御部３３は、図４（ｃ）に示す『タンク用メニュー画面』をモニタ３２ａに表示させる。この『タンク用メニュー画面』には、『沸き上げ設定』、『湯切れ防止／節約設定』、『使用休止予約設定』、『残湯量確認／使用実績』という項目が表示される。
【００２９】
ここで、『沸き上げ設定』は、加熱給湯部１０の貯湯タンク内のお湯を何度まで沸き上げるかに関する設定である。また、『湯切れ防止／節約設定』は、加熱給湯部１０の貯湯タンク内のお湯が減った際に沸き増し運転を行うための設定である。『湯切れ防止設定』がなされた場合において、電気給湯機１は、『沸き上げ設定』における沸き上げ運転を終了する貯湯タンク内のお湯の温度の目標値に基づいて、沸き増し運転を行う。これら『沸き上げ設定』及び『湯切れ防止／節約設定』が、『お湯の加熱運転を行う際の電気使用パターンに関する設定』の例である。
【００３０】
かかる状態において、ユーザが上ボタン３１ｍ及び下ボタン３１ｐを操作することによって、図４（ｄ）に示すように『沸き上げ設定』にカーソルを合わせ、決定ボタン３１ｒを押下すると、制御部３３は、図４（ｅ）に示す『沸き上げ設定画面』をモニタ３２ａに表示させる。この『沸き上げ設定画面』には、『おまかせ高温』、『おまかせ低温』、『たっぷり』、『深夜のみ』という項目が表示される。
【００３１】
『おまかせ高温』は、沸き上げ温度の目標値が約７０〜９０℃であり、お湯の使用量に応じて沸き上げる湯量を調節する、湯切れしにくい設定である。また、『おまかせ低温』は、沸き上げ温度の目標値が約６５〜９０℃であり、余分なお湯を沸き上げず、お湯を満タンまで沸き上げないことがある、省エネ運転を行う設定である。また、『たっぷり』は、沸き上げ温度の目標値が約９０℃であり、お湯を最も多く沸き上げる設定である。また、『深夜のみ』は、沸き上げ温度の目標値が約９０℃であり、深夜時間帯のみでお湯を沸き上げる設定である。
【００３２】
かかる状態において、ユーザが上ボタン３１ｍ、左ボタン３１ｎ、右ボタン３１ｏ及び下ボタン３１ｐを操作することによって『おまかせ低温』にカーソルを合わせ、決定ボタン３１ｒを押下すると、制御部３３は、図４（ｆ）に示す『設定完了画面』をモニタ３２ａに一定時間表示させ、その後、『基本画面』をモニタ３２ａに表示させる。
【００３３】
なお、『沸き上げ設定』は、お湯の加熱運転を行う際の電気使用パターンに関する設定に該当するため、かかる『沸き上げ設定』が選択されて図４（ｅ）に示す『沸き上げ設定画面』が表示されているときに、制御部３３は、前段階報知として、発光部３２ｂを点灯又は点滅させる。
【００３４】
前段階報知に気付いたユーザが、おしえてボタン３１ａを押下すると、制御部３３は、『湯量不足でお湯が足りなくなったり、沸かしすぎにより電気料金が高くなる場合があります。』という旨の本報知を、スピーカ（図示せず）に発話させる。
【００３５】
本実施形態において、前段階報知を行う発光部３２ｂは、おしえてボタン３１ａに一体的に設けられているので、前段階報知に気付いたユーザは、おしえてボタン３１ａを押下すれば何らかの報知があると予測する。したがって、本実施形態に係る台所リモコン３０は、おしえてボタン３１ａの操作を好適に誘導し、その後の本報知を好適に行うことができる。
【００３６】
一方、図示は省略するが、図４（ｃ）の『メニュー画面』が表示された状態において、ユーザが上ボタン３１ｍ及び下ボタン３１ｐを操作することによって、『湯切れ防止／節約設定』にカーソルを合わせ、決定ボタン３１ｒを押下すると、制御部３３は、『湯切れ防止／節約設定画面』をモニタ３２ａに表示させる。この『湯切れ防止／節約設定画面』には、『全量』、『少量』という項目が表示される。
【００３７】
『全量』は、貯湯タンク内のお湯が約７５Ｌ使用された場合に、貯湯タンクが満タンになるまで沸き増し運転を行う設定である。また、『少量』は、貯湯タンク内のお湯が所定量よりも少なくなった場合に、『全量』の場合よりも少ない量のお湯を沸き増す設定である。
【００３８】
ここで、『湯切れ防止／節約設定』は、お湯の加熱運転を行う際の電気使用パターンに関する設定に該当するため、かかる『湯切れ防止／節約設定』が選択されて『湯切れ防止／節約設定画面』が表示されているときに、制御部３３は、前段階報知として、発光部３２ｂを点灯又は点滅させる。
【００３９】
前段階報知に気付いたユーザが、おしえてボタン３１ａを押下すると、制御部３３は、『湯量不足でお湯が足りなくなったり、沸かしすぎにより電気料金が高くなる場合があります。』という旨の本報知を、スピーカ（図示せず）に発話させる。
【００４０】
また、図示は省略するが、図４（ｂ）の『メニュー画面』が表示された状態において、ユーザが上ボタン３１ｍ及び下ボタン３１ｐを操作することによって、『その他』にカーソルを合わせると、制御部３３は、その他画面をモニタ３２ａに表示させる。この『その他画面』には、『電力契約設定』という項目が表示される。
【００４１】
かかる状態において、ユーザが上ボタン３１ｍ及び下ボタン３１ｐを操作することによって『電力契約設定』にカーソルを合わせ、決定ボタン３１ｒを押下すると、制御部３３は、『電力契約設定画面』をモニタ３２ａに表示させる。この『電力契約設定画面』には、電気給湯機１が利用可能な複数の電力契約の項目が表示される。
【００４２】
複数の電力契約の項目としては、電力会社、料金メニューに対応した項目が挙げられる。例えば、電力会社Ａには、２３：００〜７：００の時間帯に（それ以外の時間帯よりも）電気料金が安くなり、電力会社Ｂには、２２：００〜６：００の時間帯に（それ以外の時間帯よりも）電気料金が安くなる、という電力契約の項目が考えられる。かかる電力契約の項目は、ユーザが電力会社との契約を変更した場合に変更される。
【００４３】
ここで、『電力契約設定』は、お湯の加熱運転を行う際の電気使用パターンに関する設定に該当するため、かかる『電力契約設定』が選択されて『電力契約設定画面』が表示されているときに、制御部３３は、前段階報知として、発光部３２ｂを点灯又は点滅させる。
【００４４】
前段階報知に気付いたユーザが、おしえてボタン３１ａを押下すると、制御部３３は、『電気料金に影響することがあります。』という旨の本報知を、スピーカ（図示せず）に発話させる。
【００４５】
一方、ユーザは、給湯温度上ボタン３１ｄ及び給湯温度下ボタン３１ｅを操作することによって、台所及びふろの給湯端末における給湯温度を調節したり、ふろ温度ボタン３１ｋ、上ボタン３１ｍ及び下ボタン３１ｐを操作することによって、浴槽に湯はりされる給湯温度を調節したり、水位ボタン３１ｌ、上ボタン３１ｍ及び下ボタン３１ｐを操作することによって、浴槽に湯はりされるお湯の水位を調節したりすることができる。ただし、これらは、給湯運転に関する設定を変更するモードであって、電気使用パターンに関する設定を変更するモードではないため、これらのモードが選択されたとしても、台所リモコン３０は、電気料金に影響を与えるおそれがある旨の報知としての前段階報知及び本報知を行わない。
【００４６】
ここで、台所リモコン３０（ふろリモコン４０）は、お湯の加熱運転を行う際の電気使用パターンに関する設定を変更する場合と、給湯運転に関する設定を変更する場合と、に共通して用いられる操作端末であるため、ユーザが電気使用パターンの設定を意図せずに変更する状況が発生し得る。例えば、ユーザが給湯運転に関する設定を変更する目的で台所リモコン３０（ふろリモコン４０）を操作しているにもかかわらず、違うボタンを押下してしまい、電気使用パターンに関する設定を変更する操作を行ってしまう場合がある。
【００４７】
しかし、電気使用パターンに関する設定を誤って変更することは、電気料金に影響を与えるおそれがあるため、給湯運転に関する設定を誤って変更した場合よりもユーザにとっての不都合が格段に大きい。
また、給湯運転に関する設定を誤って変更した場合には、給湯運転において何らかの変化が生じるためユーザは容易に気付くことができるが、電気使用パターンに関する設定を誤って変更した場合には、ユーザがかかる設定変更に気付くのは困難である。
【００４８】
本発明の実施形態に係る電気給湯機１の台所リモコン３０（ふろリモコン４０）は、電気使用パターンに関する設定を変更するモードが選択された場合に、スピーカ（スピーカ４２ｃ）を制御することによって、電気料金に影響を与えるおそれがある旨の本報知を行うので、ユーザが電気使用パターンの設定を意図せずに変更することを好適に防止することができる。
【００４９】
また、本発明の実施形態に係る電気給湯機１の台所リモコン３０（ふろリモコン４０）は、電気料金に影響を与えるおそれがある旨の本報知に先立って、発光部３２ｂ（発光部４２ｂ）を制御することによって、前段階報知を行い、当該前段階報知に応じたおしえてボタン３１ａ（おしえてボタン４１ａ）への入力結果を取得した場合にのみ、電気料金に影響を与えるおそれがある旨の本報知を行う。かかる構成によると、かかる本報知のことを熟知しているユーザは、おしえてボタン３１ａ（おしえてボタン４１ａ）を押下せずに台所リモコン３０（ふろリモコン４０）の操作を続けることができ、この場合には、電気料金に影響を与えるおそれがある旨の本報知は省略される。
【００５０】
以上、本発明の実施形態について図面を参照して説明したが、本発明は前記実施形態に限定されず、本発明の要旨を逸脱しない範囲で適宜設計変更可能である。例えば、制御部３３（制御部４３）は、前段階報知として、発光部３２ｂ（発光部４２ｂ）を点灯又は点滅させるのに代えて、スピーカ（スピーカ４２ｃ）にチャイム、アラーム音等を発話させる構成であってもよい。また、制御部３３（制御部４３）は、電気料金に影響を与えるおそれがある旨の報知として、モニタ３２ａ（モニタ４２ａ）にかかる報知を文章にて表示させる構成であってもよい。
【００５１】
また、制御部３３（制御部４３）は、前段階報知を及びそれに伴うおしえてボタン３１ａ（おしえてボタン４１ａ）の操作を省略し、電気料金に影響を与えるおそれがある旨の本報知を常に出力部３２（出力部４２）に行わせる構成であってもよい。
【００５２】
また、制御部３３（制御部４３）は、電気使用パターンに関する設定が変更された場合に、変更前の設定と変更後の設定とを比較し、比較結果に応じた本報知を出力部３２（出力部４２）に行わせる構成であってもよい。例えば、制御部３３（制御部４３）は、変更後の設定の方が変更前の設定よりも電気料金が高くなると判定した場合に、本報知を出力部３２（出力部４２）に行わせ、それ以外の場合には、本報知を省略する構成であってもよい。
【符号の説明】
【００５３】
１      電気給湯機
２０    主コントローラ
３０    台所リモコン（操作端末）
３１    入力部
３２    出力部
３３    制御部
４０    ふろリモコン（操作端末）
４１    入力部
４２    出力部
４３    制御部
【図１】
2011043301.tif 000003
【図２】
2011043301.tif 000004
【図３】
2011043301.tif 000005
【図４】
2011043301.tif 000006